(57)【要約】【課題】  種々のカレンダ型の画像表示を用いてスケジュールを公開するシステムを提供する。【解決手段】  スケジュールに関する広報を行いたい広報実施者は、まず、スケジュール情報の画像を表示できるＨＴＭＬドキュメント（ａ）をインターネットにて公開用のサーバーに設置しておく。そして、広報実施者の端末にて広報を行うためのスケジュール画像（ｂ）を作成し、スケジュール公開用サーバにスケジュール画像を送信する。不特定多数の利用者端末からインターネットを介してアクセスがあると、公開用サーバは、その画像とともに必要な情報を利用者端末のブラウザ上に表示する。一度、ａの文章を作成しておくことにより、ｂの画像を送信するだけで、公開用のスケジュールを迅速に更新することが出来る。【選択図】  図１
2007042045.tif 000002
【特許請求の範囲】
【請求項１】
インターネット及びイントラネット（Ｉｎｔｒａｎｅｔ）でスケジュール情報の広報を行う方法において、広報を行う者（以下、広報実施者と言う）の端末装置である広報用端末と、ワールドワイド・ウェブ（Ｗｏｒｌｄ  Ｗｉｄｅ  Ｗｅｂ：略称ＷＷＷ）機能を持ち、広報用のスケジュールを配信するサーバコンピュータである配信サーバ、及び前記広報用のスケジュールの情報サービスを受ける利用者（以下、広報利用者と言う）の端末装置である利用者端末により構成されるシステムであって、前記広報用端末はカレンダの情報である「年」、「月」、「日」と該当する日付のスケジュール情報を図像化してスケジュール画像を作成する画像作成手段を有し、前記配信サーバに前記スケジュール画像を送信する画像送信手段を有することと、前記配信サーバは前記利用者端末からの表示要求により該配信サーバの記憶装置に記憶されている前記スケジュール画像を、前記利用者端末に送信する画像送信手段を有し、前記利用者端末のブラウザに前記スケジュール画像を表示することとを特徴とするスケジュール広報システム。
【請求項２】
前記スケジュール画像は、期間を持つスケジュールに関しては、「期間の始まりと終わり」を期間に属する日付をすべて通過する直線の図形にて表現し、図橡化したものであることを特徴とする請求項１に記載のスケジュール広報システム。
【請求項３】
前記スケジュール画像は、前記配信サーバの記憶装置に記憶されているＨＴＭＬ（Ｈｙｐｅｒ  Ｔｅｘｔ  Ｍａｒｋｕｐ  Ｌａｎｇｕａｇｅ）ドキュメントの指定により、前記利用者端末に表示されるレイアウトが制御されることと、前記ＨＴＭＬドキュメントの指定により、該スケジュール画像の指定された領域をクリックすることにより、所定のＵＲＬ（Ｕｎｉｆｏｒｍ  Ｒｅｓｏｕｒｃｅ  Ｌｏｃａｔｏｒ）をブラウザに表示することを特徴とする請求項１又は請求項２に記載のスケジュール広報システム。
【請求項４】
前記広報用端末は、スケジュール情報を管理する広報情報管理手段を具備し、広報情報管理手段に対する機能設定を行う表示部を備える操作手段を具備することを特徴とする請求項１から請求項３のいずれかに記載のスケジュール広報システム。
【請求項５】
前記広報用端末は、前記画像作成手段及び前記画像送信手段に対する機能設定を行う表示部を備える操作手段を具備し、広報実施者に対し、広報実施者自身の識別ＩＤの入力を促す段階と、入力されたＩＤによって、前記広報情報管理手段、及び前記画像作成手段、及び前記画像送信手段の使用を許可するか否かを決定する段階を備えることを特徴とする請求項１から請求項４のいずれかに記載のスケジュール広報システム。
【請求項６】
前記スケジュール画像は、特定の会社、及び団体の広告情報を表示することの出来る広告領域を持つことを特徴とする請求項１から請求項５のいずれかに記載のスケジュール広報システム。
【発明の詳細な説明】
【技術分野】
【０００１】  本発明は、広報実施者がインターネットを介して広報利用者の端末に広報用のスケジュールを表示するための技術に関する。
【背景技術】
【０００２】  スケジュールの広報に関して、従来より、印刷物等を用いて、７曜６週表示型カレンダ形式により、スケジュールを掲載して、広報を行うことは知られている。７曜６週型のカレンダとは図４の形式のカレンダである。【０００３】  近年では、コンピュータおよびネットワーク技術の発達により、インターネットを介して様々なサービスが受けられるようになってきている。インターネットにてスケジュールの広報を行う場合には、文字情報を用いて広報していた。たとえば、イベントが数日にわたる場合には、「２００５年５月２日〜５月６日まで、ゴールデンウィーク大売り出し」というように文章で広報していた。【０００４】  また、前述の印刷物と同じような７曜６週表示型のカレンダ画像を使用して広報を行っている場合でも、カレンダ画像を表示するためのアプリケーションをダウンロードする必要があった（例えば、特許文献１、特許文献２参照）。
【特許文献１】特許公開２００４−２８７３９３
【特許文献２】特許公開２００４−５４７９９
【発明の開示】
【発明が解決しようとする課題】
【０００５】  従来の技術の問題点を検証する。【０００６】  印刷物で広報を行う方法では、頒布・流通するまでの期間において数日から数週間のタイムラグが生じ、情報の陳腐化が懸念される。また、料金が比較的高額になり、小規模な事業形態の広報実施者が広報を出し難いといった問題もある。【０００７】  広報を迅速に行うことができ、比較的安価に広報を行うことが出来るインターネットを利用する方法において、インターネットの文字情報のみでは、情報が増えるにしたがって、利用者が正確にスケジュールを認識できない懸念があった。【０００８】  カレンダ画像を使った上記従来の手法では、カレンダを表示するためにアプリケーションをダウンロードし、それをインストールする必要があった。このため、情報を得るために利用者の負担が大きく、広報機会を逃していたという問題があった。【０００９】  本発明は、上述した問題に鑑みてなされたもので、その目的は広報実施者のスケジュール広報のタイムラグを出来るだけ短くし、小規模な事業形態の広報実施者であっても広報を実施しやすく、さらに広報利用者に面倒を掛けずに、広報の内容をわかりやすく提供することにある。そこで、広報利用者のブラウザに、カレンダを利用した広報画像を迅速に表示することが出来るようにするためのスケジュール広報システムを提供することを課題とする。
【課題を解決するための手段】
【００１０】  以下、課題を解決するための手段について、図面（図１）を参照して説明する。
上記課題を解決するため、本発明は、広報実施者の端末装置である広報用端末１０と、ワールドワイド・ウェブ（Ｗｏｒｌｄ  Ｗｉｄｅ  Ｗｅｂ：略称ＷＷＷ）機能を持ち、広報用のスケジュールを配信するサーバコンピュータである配信サーバ２０、及び広報利用者の端末装置である利用者端末３０により構成されるシステムであって、前記広報用端末１０はカレンダの情報である「年」、「月」、「日」と該当する日付のスケジュール情報を図像化してスケジュール画像７０を作成する画像作成手段を有し、前記配信サーバ２０に前記スケジュール画像７０を送信する画像送信手段を有することと、前記配信サーバ２０は前記利用者端末３０からの表示要求により該配信サーバ２０の記憶装置に記憶されている前記スケジュール画像７０を、前記利用者端末３０に送信する画像送信手段を有し、前記利用者端末３０のブラウザに前記スケジュール画像７０を表示することとを特徴とする。【００１１】  前記スケジュール画像７０は、期間を持つスケジュールに関しては、「期間の始まりと終わり」を期間に属する日付をすべて通過する直線の図形にて表現し、図橡化したものであることを特徴とする。前記直線は、矢印の場合もあり、直線、矢印共境界線を縁取りした中抜きの図形である場合もある。【００１２】  前記スケジュール画像７０は、前記配信サーバ２０の記憶装置に記憶されているＨＴＭＬ（Ｈｙｐｅｒ  Ｔｅｘｔ  Ｍａｒｋｕｐ  Ｌａｎｇｕａｇｅ）ドキュメント６０の指定により、前記利用者端末３０に表示されるレイアウトが制御されることと、前記ＨＴＭＬドキュメント６０の指定により、該スケジュール画像７０の指定された領域をクリックすることにより、所定のＵＲＬ（Ｕｎｉｆｏｒｍ  Ｒｅｓｏｕｒｃｅ  Ｌｏｃａｔｏｒ）をブラウザに表示することを特徴とする。【００１３】  前記広報用端末１０は、スケジュール情報を管理する広報情報管理手段を具備し、広報情報管理手段に対する機能設定を行う表示部を備える操作手段を具備することを特徴とする。【００１４】  前記広報用端末１０は、前記画像作成手段及び前記画像送信手段に対する機能設定を行う表示部を備える操作手段を具備し、広報実施者に対し、広報実施者自身の識別ＩＤの入力を促す段階と、入力されたＩＤによって、前記広報情報管理手段、及び前記画像作成手段、及び前記画像送信手段の使用を許可するか否かを決定する段階を備えることを特徴とする。【００１５】  前記スケジュール画像７０は、特定の会社、及び団体の広告情報を表示することの出来る広告領域を持つことを特徴とする。
【発明の効果】
【００１６】  本発明によれば、広報利用者が利用者端末３０にて本来利用しているブラウザに、７曜６週表示型のカレンダ画像を迅速に表示することが可能となるという効果を奏する。
また、前記広報用端末１０で作成した７曜６週表示型のスケジュール画像７０を、容易に前記配信サーバ２０に送信することが出来ることにより、迅速に前記配信サーバ２０に登録することができるという効果を奏する。本発明では、スケジュールを更新する必要が発生した場合、広報用端末１０の前記広報情報管理手段を利用し、広報スケジュールを作成し直し、広報用端末１０でスケジュール画像７０を再作成し、配信サーバ２０に送信し直すだけで、迅速に広報スケジュールを更新できるという効果を奏する。このため、コンピュータシステムに精通していない者でも、簡単に広報スケジュールを更新できるという効果を奏する。【００１７】  インターネットのホームページを利用した広報であることにより、広報実施者は、比較的安価にスケジュールの広報を行うことが出来るという効果を奏する。ホームページにスケジュールを広報することにより、スケジュール表示用のプログラムを利用者端末３０にインストールすることなく、つまり、利用者に負担を掛けずに、利用者端末３０に広報スケジュールを表示させることが出来るという効果を奏する。
【発明を実施するための最良の形態】
【００１８】  以下、本発明の好適な一実施形態について、図面を参照して詳細に説明する。
まず、本発明に係るスケジュール広報システムのシステム構成について説明する。図１は、本発明に係るスケジュール広報システムの一実施形態を示す構成図である。図１において、１０は広報用端末、２０は配信サーバ、３０は利用者端末、４０はネットワーク、５０はスケジュールを管理し、画像を作成し、配信サーバ２０へ画像を送信するプログラム群、６０は図形表示領域を持つＨＴＭＬドキュメント、７０はスケジュール画像である。【００１９】  広報用端末１０は、プログラム群５０を利用して、スケジュールを追加、修正、削除することによりスケジュールを管理し、スケジュール画像７０を作成し、配信サーバ２０にスケジュール画像７０を送信する端末装置であり、具体的にはパーソナルコンピュータ、ホストコンピュータの端末等のインターネットアクセス機能を有する機器で実現される。広報用端末１０は、利用形態によっては複数の場合もある。【００２０】  配信サーバ２０は、インターネットを介して利用者端末３０とデータの送受信を行うためのＷＷＷ（Ｗｏｒｌｄ  Ｗｉｄｅ  Ｗｅｂ）サーバとしての機能を有している。ＨＴＭＬドキュメント６０とスケジュール画像７０を記憶装置に記憶している。【００２１】  利用者端末３０は、広報利用者が利用する端末装置であり、具体的には、パーソナルコンピュータ、携帯電話機、ＰＤＡ（情報携帯端末）等のインターネットアクセス機能を有する機器で実現される。なお、図１においては、利用者端末として、３０ａ〜３０ｃの３台のみ示しているが、実際には、任意の多数の利用者端末が接続されている。【００２２】  ネットワーク４０はイントラネット及びインターネット等のデータ送受信用の通信網であり、物理的には、有線・無線のどちらであっても良い。【００２３】  プログラム群５０は広報実施者が、スケジュール画像７０を作成し、配信サーバ２０に、スケジュール画像７０を送信するためのプログラム群である。プログラム群５０は、１つのプログラムでなく、スケジュール広報システムを運用するための複数のプログラムである場合もある。【００２４】  プログラム群５０は、広報用のスケジュールを入力して、それを保存する機能、スケジュール画像７０と相似している画像を作成し、広報したいスケジュールが正確に入力されているか確認する機能、スケジュール画像７０を作成する機能、スケジュール画像７０を配信サーバ２０に送信する機能を持つ。広報したいスケジュールが複数存在しても、すでに保存してあるスケジュールと新規スケジュールを混在させてスケジュール画像７０を再作成することによって複数のスケジュールを同時に図橡化することが出来る。【００２５】  ＨＴＭＬドキュメント６０は、ＨＴＭＬ（Ｈｙｐｅｒ  Ｔｅｘｔ  Ｍａｒｋｕｐ  Ｌａｎｇｕａｇｅ）を使用してスケジュール画像７０の表示及びその説明を定義している文章である（ＨＴＭＬはＷｅｂページをどのように表示するかを定義するタグの集まりからなる標準的なものである）。ＨＴＭＬドキュメント６０は、スケジュール画像７０を広報利用者がクリックした位置を割り出し、そのクリック位置に対応したＵＲＬのページを表示することをブラウザに指示する機能を有している。ＨＴＭＬドキュメント６０は利用者端末３０から表示依頼があった都度、ＨＴＭＬを作成することの出来るＰｅｒｌ言語等のプログラムである場合もある。【００２６】  スケジュール画像７０は広報用端末１０にあるプログラム群５０で作成され、プログラム群５０によって配信サーバ２０に送信された広報用のスケジュール画像であり、具体的には、ＪＰＥＧ形式、ＧＩＦ形式、ＰＮＧ形式、ＢＭＰ形式、ＰＤＦ形式等の画像形式を初めとするブラウザが表示することの出来る画像である。【００２７】  スケジュール画像７０の特徴を図４を元に説明する。スケジュール画像は文章でなく画像である故、７１にあるように広報者又は広告用のロゴを表示することが出来る。７２にあるような記号、７３にあるようなイラスト及び写真を表示することも出来る。また、７５に示すＨＴＭＬでは表示が困難な、「この日から、この日まで」という期間を持つスケジュールを表示することが出来る。７４にあるように広報者の名称を表示することが出来るが、他の会社、団体の広告を表示することも出来る。そして、スケジュール画像７０は、画像という性質のため、スケジュールの文字の大小、表示位置を、利用者端末３０に自由に表示することが出来、広報利用者が確認しやすく、広報利用者にインパクトを与えることが出来る。スケジュール画像に表示されるものはすべてカラーを使用することが出来、利用者端末３０を通して利用者が確認しやすいスケジュールを広報することが出来る。【００２８】  スケジュール画像７０は７曜６週型のカレンダだけでなく、月の日数によっては７曜４週、７曜５週の場合もある。そして、１日だけのスケジュール及び図６にあるような１週間表示型のスケジュール画像の場合もある。また、図２、図３、図４、図５、図６、図７のカレンダはすべて日曜から週が始まっているが、欧米で使われている月曜始まりの場合もあり、実施形態によっては、火曜〜土曜の何れの日から始まる場合もある。そして、７曜型のカレンダ形式に拘らず、特定の期間の縦一列型、及び１ヶ月縦一列表示型のカレンダ形式（図５）もある。【００２９】  図１に示したスケジュール広報システムの処理動作について説明する。まず、前処理として利用者端末３０から表示要求が来たときにスケジュール画像７０を表示するためのＨＴＭＬドキュメント６０を作成し、配信サーバ２０に登録しておく（スケジュール画像７０のみで広報の目的が達せられる場合は、ＨＴＭＬドキュメント６０の登録は必ずしも必要なものではない）。【００３０】  ここで、スケジュール画像７０を作成するためにプログラム群５０を起動するのであるが、プログラム群５０を起動するときには、ＩＤの入力が求められる。これは、スケジュールの管理、スケジュール画像７０の作成及び送信機能を、資格のない者が操作する事を拒否するためである。つまり悪意のある者の不正なスケジュール登録を防ぐためである。【００３１】  広報実施者がスケジュールを追加、変更、削除する必要が生じたとき、広報実施者は広報用端末１０に搭載されたプログラム群５０を操作してスケジュール画像７０を作り直し、配信サーバ２０に送信することにより、迅速にその意志は反映され、利用者端末３０は配信サーバ２０に接続した時点のスケジュール画像を画面に表示することが出来る。【００３２】  広報利用者は、利用者端末３０から、所定のＵＲＬ（Ｕｎｉｆｏｒｍ  Ｒｅｓｏｕｒｃｅ  Ｌｏｃａｔｏｒ）を指定して、配信サーバ２０上で開設されている広報者の提供サイトにアクセスする。配信サーバ２０は、利用者端末３０からの指示でＨＴＭＬドキュメント６０及びスケジュール画像７０を、利用者端末３０に送信する。つまり、利用者端末３０は、配信サーバ２０に対応した所定のＵＲＬを指定するだけで、利用者端末３０のブラウザに取得したい広報スケジュールを表示させることが出来る。【００３３】  図７は利用者端末３０のブラウザに表示させたスケジュール画像の一例である。６１はＨＴＭＬドキュメント６０によって表示させた説明文章領域である。これらの説明も含めてスケジュール画像７０を作成した場合は、ＨＴＭＬドキュメント６０はスケジュール広報システムに必須なものではなくなる場合もある。図７のように予定の書けるカレンダ形式でスケジュール広報を行うことにより、広報利用者は普段使っているカレンダと広報実施者のスケジュールを重ねやすくなり、広報実施者のスケジュールを正確に把握することが出来る。【００３４】  ７曜６週表示型のカレンダを利用したスケジュール画像によるスケジュール広報の方法の一例を述べる。
広報実施者は、前準備として、広報用端末１０を利用してＨＴＭＬドキュメント６０を作成し、ネットワーク４０を利用し、配信サーバ２０にＨＴＭＬドキュメント６０送信しておく。【００３５】  広報実施者は広報用端末１０にインストールしてあるプログラム群５０を利用して、スケジュールを管理する。管理とは、スケジュールを追加、修正、削除して広報用端末の記憶装置に正確なスケジュール情報を記憶することである。スケジュール情報が複数存在する場合は複数分追加する（図２、図３参照）。【００３６】  広報実施者は広報用端末１０に記憶しているスケジュール情報を、必要なスケジュールだけ選択し、カレンダを元にしたスケジュール画像７０（図４参照）を作成する。以下にスケジュール画像７０の作成方法を記述するが、実際には広報用端末で作られるスケジュール画像７０の元になる画像（以下、元画像）である。【００３７】  画像を作成するときに、プログラム群５０は、カレンダの年と月を元画像に書き込む。次に「広報実施者の名称又は広告」が必要かどうかチェックし、必要ならば、「広報実施者の名称又は広告」を元画像に書き込む（図４−７４）。次に、週の名称の始まりについてチェックし、左から順に元画像に書き込む。このとき、日曜日は赤、土曜日は青の色のフォントを使用する（尚、フォントの色は設定で変更できる）。そして、日にちの画像を以下のように順次作成する。【００３８】  まず、左上の日にち、図４でいうと４月２４日の欄について、以下の動作を行う。
ロゴを表示する必要があるかをチェックし、必要があれば、ロゴを元画像に書き込み、次の日に移る。必要がなければ、イラスト又は写真を表示する必要があるかをチェックする。イラスト又は写真を表示する必要があれば、イラスト又は写真を元画像に書き込む。次に、図形を表示する必要があるかチェックする。図形を表示する必要があれば図形を元画像に書き込む。次に当該日に期間があるスケジュールを表示する必要があるかをチェックする。期間があるスケジュールを表示する必要があれば、元画像に書き込む。最後に当該日のスケジュールが存在するかをチェックする。当該日のスケジュールが存在すれば元画像に書き込む。そして、次の日に移る。
上記の方法を１ヶ月分４２回（前後の月も含む）繰り返し、スケジュール画像７０の元画像を作成する。【００３９】  上記方法で作成した元画像が、広報実施者の意図した画像であるかチェックするために、広報用端末１０に表示させる。【００４０】  上記方法によって作成した元画像が広報実施者の意図した画像になっていれば、画像送信ボタンをクリックする。プログラム群５０は元画像を、インターネット用の画像として好ましいｇｉｆ形式に容量の圧縮を行って、スケジュール画像７０を作成し、配信サーバ２０に送信する。【００４１】  広報利用者は、利用者端末３０から、所定のＵＲＬを指定して、配信サーバ２０上で開設されている広報者の提供サイトにアクセスする。配信サーバ２０は、利用者端末３０からの指示でＨＴＭＬドキュメント６０及びスケジュール画像７０を、利用者端末３０に送信する。利用者端末３０のブラウザは、ＨＴＭＬドキュメント及びスケジュール画像７０を表示する。【００４２】図７にあるような７曜６週型のカレンダでは、１日の情報量が少ない。そこで、画像の日付部分をクリックすると、別のブラウザを起動し、その日のスケジュールの詳細が、起動したブラウザに表示されるようになっている（この機能はＨＴＭＬドキュメント６０の指示で機能する）。【００４３】  広報利用者が広報実施者のスケジュール情報を積極的に求めていない場合を想定して、提供サイトのトップページにスケジュール画像７０を表示させるようにＨＴＭＬドキュメント６０を作成しておけば、広報の効果が大きくなる。広報利用者は一般的には広報実施者の提供サイトに毎日訪れる可能性は少ない。故に、スケジュール画像７０は、今月、翌月、翌々月と３ヶ月程度作成しておくと、広報の効果が大きくなる。
【図面の簡単な説明】
【００４４】
【図１】本発明に係るスケジュール広報システムの構成図である。
【図２】広報用端末の画面に表示されるスケジュール入力画面を示す図である。
【図３】入力したスケジュールを確認する画面を示す図である。
【図４】７曜６週型のスケジュール画像を示す図である。
【図５】１ヶ月縦一列表示型のスケジュール画像を示す図である。
【図６】１週間表示型のスケジュール画像を示す図である。
【図７】利用者端末のブラウザに表示されるスケジュール画像を示す図である
【符号の説明】
【００４５】１０・・・広報用端末
２０・・・配信サーバ
３０・・・利用者端末
４０・・・ネットワーク
５０・・・プログラム群
５１・・・スケジュール入力領域
６０・・・ＨＴＭＬドキュメント
６１・・・ＨＴＭＬドキュメントによって表示された領域
６２・・・スケジュール画像の領域
７０・・・スケジュール画像
７１・・・スケジュール画像に表示されたロゴの例
７２・・・スケジュール画像に表示された図形の例
７３・・・スケジュール画像に表示されたイラストの例
７４・・・スケジュール画像に表示される広告宣伝領域の例
７５・・・スケジュール画像に表示された期間を持つスケジュールの例
【図１】
2007042045.tif 000003
【図２】
2007042045.tif 000004
【図３】
2007042045.tif 000005
【図４】
2007042045.tif 000006
【図５】
2007042045.tif 000007
【図６】
2007042045.tif 000008
【図７】
2007042045.tif 000009